(57)【要約】【課題】      腕に枕が巻きついたような状態で使用できるように、枕の両端から中央に片手または両手を入れるための中空孔を形成した筒状の筒状枕を提供する。【解決手段】      筒状に形成される枕の横幅となる側面に係合部を設けて長方形の枕用部材を円筒状に連結し、枕の両端の中央に枕の長手方向に沿って直径約１０〜２０センチメートルの中空孔を形成した構造である。ここで、長方形の枕用部材は、袋体であって中に柔軟素材または蕎麦殻やプラスチックの小片を詰めた構成である。また、長方形の枕用部材は、充填する柔軟素材、蕎麦殻またはプラスチック小片の詰められた中袋を適宜に交換することができるように袋体に開口部を設けた構造とすることもできる。【選択図】  図１
2006218119.tif 000002
【特許請求の範囲】
【請求項１】
筒状に形成される枕の横幅となる側面に係合部を設けて長方形の枕用部材を円筒状に連結し、枕の両端の中央に枕の長手方向に沿って直径約１０〜２０センチメートルの中空孔を形成したことを特徴とする筒状枕
【請求項２】
前記長方形の枕用部材は、袋体であって中に柔軟素材または蕎麦殻やプラスチックの小片を詰めた構成であることを特徴とする前記請求項１記載の筒状枕
【請求項３】
前記長方形の枕用部材は、充填する柔軟素材、蕎麦殻またはプラスチック小片の詰められた中袋を適宜に交換することができるように袋体に開口部を設けたことを特徴とする前記請求項１記載の筒状枕
【請求項４】
前記長方形の枕用部材は、厚めの樹脂材からなることを特徴とする前記請求項１記載の筒状枕
【請求項５】
前記係合部は、筒状に形成される枕の横幅となる側面の一端面に係合部を装設するとともに、他端面に被係合部を装設した構成であり係合部と被係合部は着脱自在に構成されていることを特徴とする前記請求項１記載の筒状枕
【請求項６】
前記係合部は、筒状に形成される枕の横幅となる側面に係合部となる面状ファスナを装着するとともに、他端面に被係合部となる面状ファスナを装着したことを特徴とする前記請求項１記載の筒状枕
【発明の詳細な説明】
【技術分野】
【０００１】
本発明は、枕の両端から中央の孔に手を入れられる円筒形の枕に関し、特に筒状に形成される枕の横幅となる側面に係合部を設けて脱着係合可能に形成し、顔を枕に付けて机の上にうつ伏せ状態で仮眠することが出来るように筒状に形成した枕の両端に片手または両手の入る中空孔を設けた筒状枕に関する。
【背景技術】
【０００２】
従来の枕は、長方形の袋体に柔軟な素材または、少し固めの蕎麦殻やプラスチック小片を詰め込んで形成した構造となっている。これに対して変形の枕としては頭に直接に装着する形式や、首や腕に巻きつける形式の枕が、各種開発されている。このような変形の枕にあっては、頭や腕等に如何に巻きつけるかについての構造が工夫されているに過ぎず、使用感はあまり良くないものが多かった。また、枕の使用者の使用状況までは感知していないことが多かった。
枕は、構造というより使い心地が重要であり、構造も使用者の使い勝手を最優先する必要がある。
【０００３】
細長く構成された枕の両端に係合部を設けて、細長い環状の枕に形成したものがあるが、仮眠用に使用するための枕とは考える事はできないばかりでなく、腕の置き場に困る構造であり、仮眠する状態が無理な姿勢となる欠点があった。
また、腕に巻きつける形式の枕も開発されているが、専ら乳幼児のために使用されるものであり、大人が仮眠しようとする際に使用できるような構造ではない。そこで、大人が机に伏して仮眠を取るときに使用出来る形状の枕の開発が待たれていた。簡単な構造で短時間に仮眠が取れる形状であり、持ち運び等にも便利な係合式の枕の開発が期待されていた。
【０００４】
【特許文献１】登録実用新案第３０４０４５１号
【特許文献２】登録実用新案第３０３８０８９号
【発明の開示】
【発明が解決しようとする課題】
【０００５】
本発明は上記問題を解決するために、腕に枕が巻きついたような状態で使用できるように、枕の両端から中央に片手または両手を入れるための中空孔を形成した筒状の筒状枕を提供することを目的としている。
【課題を解決するための手段】
【０００６】
上記目的を達成するために本発明に係る筒状枕は、筒状に形成される枕の横幅となる側面に係合部を設けて長方形の枕用部材を円筒状に連結し、枕の両端の中央に枕の長手方向に沿って直径約１０〜２０センチメートルの中空孔を形成した構造である。
ここで、長方形の枕用部材は、袋体であって中に柔軟素材または蕎麦殻やプラスチックの小片を詰めた構成である。
また、長方形の枕用部材は、充填する柔軟素材、蕎麦殻またはプラスチック小片の詰められた中袋を適宜に交換することができるように袋体に開口部を設けた構造とすることもできる。
また、長方形の枕用部材は、厚めの樹脂材であってもよい。
【０００７】
さらに、係合部は、筒状に形成される枕の横幅となる側面に係合部を装設するとともに、他端面に被係合部を装設した構成であり係合部と被係合部は着脱自在に構成されている。
また、係合部は、筒状に形成される枕の横幅となる側面に係合部となる面状ファスナを装着するとともに、他端面に被係合部となる面状ファスナを装着した構成とすることもできる。
【発明の効果】
【０００８】
本発明に係る筒状枕は、上記の通りの構成であるので、以下のような効果がある。
１  枕の両端の中央に枕の長手方向に沿って設けられた直径約１０〜２０センチメートルの中空孔に片手または両側から両手を挿入することにより、机の上で仮眠しても、腕がしびれたり痛くなることがないばかりでなく、寝ていても顔や額に紐やシャツの跡が付かないという効果がある。また、持ち運びが簡単で、何処でも、簡単に心地よい仮眠ができ、快適な安眠を得ることができる。
さらに、手が中空孔に入った状態で拘束されるので、寝惚けて脇のものを倒したりすることが防止できる。
また、椅子の肘掛のような棒状のものがあれば、枕を巻きつければ簡単に枕となったり、クッションとして利用することができる。
２  袋体に柔軟素材や蕎麦殻やプラスチックの小片を詰めることによりさらに良い寝心地を楽しむことが出来る。
【０００９】
３  袋体には開口部が設けられているので、使用する者の枕の固さの好みに合わせて、寝心地を高めるために枕の中に充填する素材を適宜に交換することができる。
４  厚めの樹脂材を利用することにより安価で筒状枕を提供することが出来る。
５  係合部は、着脱自在であるので、どこにでも巻き付けて使用することができる。
６  係合部に面状ファスナを利用することにより、極めて容易に筒状枕を形成することができる。
【発明を実施するための最良の形態】
【００１０】
以下本発明にかかる筒状枕を図面に示す実施例に基づいて詳細に説明する。図１は筒状枕を展開した状態の平面図であり、図２は筒状枕を分解した構造図であり、図３は筒状に係合した状態を示す斜視図である。
本発明の筒状枕１０は、枕用部材２０と、係合部３０と、中空孔４０とからなる構成であり、枕の横幅となる側面の端部に設けられた係合部を係合連結することにより筒状の枕が形成される。
【００１１】
枕用部材２０は、長方形の部材で、図１に示す実施例では、上下に折り畳んで筒状に形成して使用するものである。枕用部材２０の左右の長さが筒状に形成される枕の横幅となり円筒の側面となる。枕用部材２０は一体に成形されたものであっても、繋ぎ合せたものであっても良い。上下の係合部を連結することにより長方形の枕用部材は円筒形に形成される。
枕用部材は、袋体からなり、中に柔軟素材または蕎麦殻やプラスチックの小片が詰められた構成である。また、筒状に形成される枕の横幅の長さは限定されない。
【００１２】
また、袋体の一部には開口部２２が設けられており、中に充填する素材を中袋に詰めて用意することにより、柔軟素材、蕎麦殻またはプラスチック小片等々の様々な充填材に適宜に交換することが可能な構成となっている。
本実施例では充填材として低反発ウレタンチップを使用しているので、腕の痛みや圧迫感を和らげる効果もある。
また、枕用部材２０として充填材のない、発泡スチロール等の厚めの樹脂材を利用することも可能である。
【００１３】
係合部３０は、筒状に形成される枕の横幅となる側面の端面に設けられる。図に示す実施例では、筒状に形成される枕の横幅となる側面の一端面に係合部を装設するとともに、他端面に被係合部を装設した構成であり、図１では上端と下端に係合部３０ａと被係合部３０ｂとからなるファスナが装着されている。係合部と被係合部は着脱自在に構成されているので、筒状枕として使用しない場合は、大きく広げて座布団や膝掛けとしても利用できるので便利で実用性が高い。
【００１４】
係合部３０の構造としては、ファスナ以外にもボタン等々の素材が考えられ、ファスナには限定されない。係合部としては、簡便な面状ファスナ（ベルクロテープまたはマジックテープ（登録商標））を装着するとともに、他端面に被係合部となる面状ファスナを装着することにより、より簡便に係合および着脱が可能となる。
【００１５】
中空孔４０は、筒状枕の中央の孔で、枕の両端の中央に枕の長手方向に沿って設けられている孔で、その直径は片方向から片手が入る程度の大きさで約１０〜２０センチメートルの中空孔となっている。両方から片手を入れることができる。したがって、筒状枕の中では両手を組合すことも可能である。
【００１６】
係合部が筒状に形成される枕の横幅となる側面の端面に設けられているので、２枚、３枚と筒状枕を連結して大きな枕または環状体として利用することも可能である。さらに円筒形でなく広げて使用することも可能である。
【００１７】
本発明の筒状枕は袋体であるので反転させてリバーシブルにも利用できるように裏地の部分にも表地を使用するなどの加工を加えることも可能である。
【図面の簡単な説明】
【００１８】
【図１】本発明にかかる筒状枕の展開状態の平面図
【図２】筒状枕を分解した構造図
【図３】筒状に係合した状態を示す斜視図
【符号の説明】
【００１９】
１０    筒状枕
２０    枕用部材
２２    開口部
３０    係合部
３０ａ  係合部
３０ｂ  被係合部
４０    中空孔
【図１】
2006218119.tif 000003
【図２】
2006218119.tif 000004
【図３】
2006218119.tif 000005